(57)【要約】  表示装置（１）は、電気泳動粒子（８，９）と、画素電極および第２の電極を有する表示素子のアレイを有する画像スクリーンと、を有している。表示装置は、駆動信号を上記画素電極と上記第２の電極とに供給する制御手段（１５）を有している。動作中、画像は、連続するフレームで表示される。制御手段は、行ドライバ（１６）および列ドライバ（１０）を有している。動作中、プリセット信号（５３）は表示素子に印加され、表示素子に印加されるプリセット信号は、連続するフレーム間で変化する。制御手段が、列ごとの方式によって、フレーム間でプリセット信号を変化させる。プリセット信号を供給する手段は、列と行とのグループを有する画像スクリーンの少なくとも一部に供給されるプリセット信号に対して、上記グループのプリセット信号のために一組のデータのみが伝送されるように構成される。
2007519046.tif 000002
【特許請求の範囲】
【請求項１】
電気泳動粒子と、
画素電極および第２の電極を有する表示素子のアレイを有する画像スクリーンであって、前記画素電極と前記第２の電極との間に電気泳動粒子の一部が存在している画像スクリーンと、
表示素子を表示されるべき画像情報に対応する所定の光学状態にするために駆動信号を前記画素電極と前記第２の電極とに供給する制御手段と、
を有する表示装置であって、
動作中、画像は、連続するフレームで表示され、
前記制御手段は、行ドライバおよび列ドライバと、プリセット信号を前記表示素子に供給する手段と、を有しており、前記表示素子に印加される前記プリセット信号は、連続するフレーム間で変化し、
前記制御手段は、列ごとの方式によって、フレーム間でプリセット信号を変化させ、
プリセット信号を供給する手段は、列と行とのグループを有する画像スクリーンの少なくとも一部に供給されるプリセット信号に対して、前記グループのプリセット信号のために一組のデータのみが伝送されるように構成される、表示装置。
【請求項２】
前記グループは、少なくとも２つの列を有する、請求項１に記載の表示装置。
【請求項３】
表示スクリーンは、列および行のｎ×ｍ個のグループからなる、請求項１に記載の表示装置。
【請求項４】
前記表示スクリーンは、列および行の２つのグループからなる、請求項２に記載の表示装置。
【請求項５】
前記グループは、前記画像スクリーンのほとんど全ての列および行を有する、請求項１に記載の表示装置。
【請求項６】
前記表示スクリーンは象限に分割され、各象限のグループは、行ドライバおよび列ドライバに関連している、請求項３に記載の表示装置。
【請求項７】
電気泳動粒子と、画素電極および第２の電極を有する表示素子のアレイを有する画像スクリーンであって、前記画素電極と前記第２の電極との間に電気泳動粒子の一部が存在している画像スクリーンと、表示素子を表示されるべき画像情報に対応する所定の光学状態にするために駆動信号を前記画素電極と前記第２の電極とに供給する制御手段と、を有する表示装置を駆動する方法であって、
動作中、画像は、連続するフレームで表示され、
前記制御手段は、行ドライバおよび列ドライバと、プリセット信号を前記表示素子に供給する手段と、を有しており、前記表示素子に印加される前記プリセット信号は、連続するフレーム間で変化し、
前記制御手段が、列ごとの方式によって、フレーム間でプリセット信号を変化させ、
プリセット信号を供給する手段は、列と行とのグループを有する画像スクリーンの少なくとも一部に供給されるプリセット信号に対して、前記グループのプリセット信号のために一組のデータのみが伝送されるように構成される、方法。
【発明の詳細な説明】
【技術分野】
【０００１】
本発明は、表示装置に関する。この表示装置は、電気泳動粒子と、画素電極および第２の電極を有する表示素子のアレイを有する画像スクリーンであって、画素電極と第２の電極との間に電気泳動粒子の一部が存在している画像スクリーンと、表示素子を表示されるべき画像情報に対応する所定の光学状態にするために駆動信号を画素電極と第２の電極とに供給する制御手段と、を有しており、動作中、画像は、連続するフレームで表示され、制御手段は、行ドライバおよび列ドライバと、プリセット信号を表示素子に供給する手段と、を有しており、表示素子に印加されるプリセット信号は、連続するフレーム間で変化するものである。
【０００２】
この型式の表示装置は、例えば、モニタ、ラップトップ・コンピュータ、携帯情報端末（ＰＤＡ）、携帯電話、電子ブック、電子新聞、電子マガジンで使用されている。
【背景技術】
【０００３】
冒頭に言及されたタイプの表示装置は、国際特許出願ＷＯ０３／７９３２４号から既知である。この特許出願は、２つの基板を有する電子インクディスプレイを開示しており、この２つの基板のうちの一方の基板は透明であり、他方の基板は行および列に配される電極が備えられている。行電極と列電極との間の交差部は表示素子に関連している。表示素子は薄膜トランジスタ（ＴＦＴ）を介して列電極に結合されており、この薄膜トランジスタのゲートは行電極に結合されている。表示素子、ＴＦＴトランジスタ、並びに行電極および列電極の構造は、協働して、アクティブマトリックスを形成する。更に、表示素子は、画素電極としても知られる画像電極を有している。一般に行ドライバと呼ばれる選択ドライバは表示素子の行を選択し、一般に列ドライバと呼ばれるデータドライバは選択された行の表示素子に列電極およびＴＦＴトランジスタを介してデータ信号を供給する。データ信号は表示されるべき映像データに対応する。画像情報、少なくともその一部は、或るフレームから別のフレームへの遷移により更新され、リフレッシュされる。
【０００４】
画素電極と透明基板に備えられる共通電極との間に、電子インクが備えられている。このインクは、流体中に懸濁する、正に帯電した白の粒子と負に帯電した黒の粒子とを有する。正の電界が画像電極に印加されると、白の粒子は、マイクロカプセルの、透明基板を向く側へと移動し、表示素子が観測者に見えるようになる。同時に、黒の粒子は、マイクロカプセルの反対側の画素電極に移動し、そこでは黒の粒子は観測者から見えないようになる。負の電界を画像電極に印加することによって、黒の粒子は、マイクロカプセルの、透明基板を向く側の共通電極に移動し、表示素子は観測者に暗く見える。電界が取り除かれると、表示装置は粒子の移動により得られた状態をそのまま保ち、双安定性を示す。
【０００５】
マイクロカプセルの上部のカウンタ電極に移動する粒子の量を制御することによって、表示装置にグレースケールを作り出すことができる。マイクロカプセルの上部に移動する粒子の量は、例えば、電界強度と印加時間との積として定義される正電界又は負電界のエネルギーによって、制御される。
【０００６】
光学応答は表示素子の履歴に依存し、いわゆるアンダードライブ効果（underdrive effect）が見られる。このアンダードライブ効果は、例えば、表示装置の初期状態が黒であって、この表示装置が白状態と黒状態との間で周期的に切り替えられる場合に、生じる。例えば、数秒のドウェル時間の後に、２００ｍｓの期間の間負の電界を印加することによって表示装置は白に切り替えられる。次の期間では、２００ｍｓの間電界は印加されず、表示装置は白のままであり、次の期間では、正の電界が２００ｍｓの間印加され、表示装置は黒に切り替えられる。一連のパルスのうちの最初のパルスに応答する表示装置の輝度は、所望の最大輝度より小さく、この所望の最大輝度は、数個のパルスの後に再現することができる。従来技術では、プリセット信号が供給されている。このプリセット信号は１個のパルス又は一連のパルスを有しており、この１個のパルス又は一連のパルスは、電気泳動粒子を２つの電極のうちの一方の電極での静止状態から解放するのに十分なエネルギーであるが、他方の電極に到達させるには小さすぎるエネルギーを有する。このプリセット信号はアンダードライブ効果を緩和する。アンダードライブ効果が緩和されるので、表示装置の履歴と、特にそのドウェル時間とに関わらず、同一のデータ信号に対する光学応答は、実質的に等しい。根底にあるメカニズムは、表示装置が所定の状態（例えば、黒の状態）に切り替えられた後に電気泳動粒子は静止状態になるので、次の切替えが白状態のとき、粒子の始動速度がゼロに近いことから粒子の運動量が小さいということで説明できる。これは、切替時間を長くする。プリセットパルスが印加されると、電気泳動粒子の運動量が増加し、したがって切替時間が短くなる。表示装置が所定の状態（例えば、黒の状態）に切り替えられた後、電気泳動粒子が、その粒子を囲む反対のイオンによって「静止する」こともあり得る。次の切替えが白の状態の場合、これらの反対のイオンが適時に解放されなければならず、これには追加の時間が必要となる。プリセットパルス（粒子を「振り動かす」ので、時には振動パルスとも呼ばれる）を印加すると、反対イオンの解放、したがって電気泳動粒子の脱静止を加速させ、それ故に切替時間が短くなる。プリセットパルスを印加すると、電気泳動粒子の運動量が増加し、したがって切替え時間が短くなる。
【０００７】
他の利点は、プリセットパルスを印加すると、電子インクの前の履歴が実質的に消去されることであるが、一方、対照的に、従来の電子インク表示装置は、新しいフレームのデータパルスを発生し、数フレーム前のフレームと大きなルックアップテーブルとを記憶する大容量の信号処理回路が必要である。
【０００８】
斯かるプリセットパルスは、画像更新の持続時間よりも１桁小さい持続期間を有することができる。画像更新は、表示装置の画像情報が新しくなる又はリフレッシュされるような場合である。
【０００９】
しかし、プリセット信号を印加すると、いわゆるフリッカの要因にもなる。プリセット信号は、表示する画像に与える影響は小さい。従来技術では、フレーム間のプリセット信号を変えることが提案されている。例えば、単一フレームアドレス期間において、プリセットパルスが正の極性で全ての偶数の行に印加されるとともに負の極性で全ての奇数の行に印加される場合、表示装置の隣接する行は、より明るい行（例えば、偶数の行）と、より暗い行（例えば、奇数の行）と、が交互に見え、次のフレームアドレス期間において、プリセットパルスの正の極性および負の極性は反転され、奇数の行がより明るく見えるとともに偶数の行がより暗く見え、結果として、奇数の行と偶数の行とが実質的に同じ輝度を有するようにこれらの連続して発生するフレームが目に集積するので（時間的な平均化）、時間的に知覚する外観にはほとんど影響しない。フレーム間でプリセット信号が変化することによって、輝度のずれを時間的に平滑化することが行われる。この原理は、フリッカを低減した状態で液晶ディスプレイを駆動する方法におけるライン反転原理と同様である。
【００１０】
したがって、フレーム間のプリセット信号を変化させることによって、画像残留を改善する時間的平均化を達成できる。プリセット信号の印加には、プラスの効果だけでなく、マイナスの効果もあり、プリセット信号の印加にはエネルギおよび時間を必要とし、ドライバの負荷および速度に制限を加える。
【発明の開示】
【発明が解決しようとする課題】
【００１１】
本発明の目的は、上記の問題のうちの１つ以上を緩和することにある。
【課題を解決するための手段】
【００１２】
この目的のため、本発明による表示装置は、上記制御手段が、列ごとの方式によって、フレーム間でプリセット信号を変化させ、プリセット信号を供給する手段が、列と行とのグループを有する画像スクリーンの少なくとも一部に供給されるプリセット信号に対して、上記グループのプリセット信号のために一組のデータのみが伝送されるように構成されることを特徴とする。
【００１３】
プリセット信号には、ドライバへのデータ伝送が必要とされる。発明者は、プリセット信号を印加するためのデータが行ごとに変化する方式（行反転方式）が使用される場合、各プリセット信号は各行に対して別々アドレスされなければならず、プリセット信号データの伝送が別々に必要となるので、各フレームに対して大量のデータが伝送されなければならないことが分かった。列反転方式が使用される場合、発明者は、ドライバのデータを変化させる必要なく、一組のプリセット信号をグループ全体に印加することが可能であることが分かった。一組のデータがデータドライバに一度供給されると、グループの中の全ての行をプリセット信号でアドレスすることができ、データドライバに他のデータが供給される必要がない。これにより、データ伝送の必要性が低下し、必要なエネルギーおよび時間が低減する。プリセット信号のデータを含めたデータの伝送は、とりわけフレーム時間を決定し、これによりリフレッシュ周波数（即ち、１秒当たりのフレーム数）を決定するので、データ伝送の必要性が低下し、必要なエネルギーおよび時間が低減すると、全フレーム時間が短くなる可能性もある。これらの行は、標準的なやり方で、同時に一度アドレスしてもよく、又は、例えば複数の行ドライバを同時に動作できるようにして２つ以上の行を同時にアドレスすることもできる。
【００１４】
好ましくは、列および列のグループは、ほぼ全ての表示素子を有している。
【００１５】
本発明の概念の範囲内で、表示スクリーンを複数のグループ（例えば、各グループが表示スクリーンのほぼ半分を含む２つのグループ、又は各グループが表示スクリーンの四半分を含む４つのグループ、又は各グループが表示スクリーンの一部を含むｎ×ｍ個のグループ）に分割することができる。これらのグループは互いに関係させてもよい。各実施例には利点がある。しかし、グループ数が少なければ少ないほど、効果は大きい。したがって、好ましいのは、１つのグループのみ（即ち、このグループが全ての表示素子を含む）、又は２つ、４つ、又はｎ×ｍ（ここで、ｎ、ｍ＝１、２、３）の少ない数のグループの実施例である。大型表示装置（１５"より大きい表示装置）に対しては、電極の長さが短くなるという理由から、ドライバを分割し、表示スクリーンを例えば４つの象限に分割することが有利である。
【００１６】
本発明の他の有利な実施例は、従属項に記載されている。
【００１７】
一実施例では、表示素子は、２つ以上のグループの各々の中で相互に接続され、異なる極性を有しているプリセット・パルスがスクリーンの異なる部分に供給される。これにより、フレーム内の空間的な輝度変動が低減するだろう。
【００１８】
以下の好適な実施例に限定されず、本発明の概念の範囲内では、「供給する制御手段」および「供給する手段」並びに一般に「〜の手段」は、広く解釈されるべきであり、これらの「手段」は、例えば、ハードウェア（コントローラ、供給装置など）、１つ以上の信号の制御又は供給を実行するように設計された回路又はサブ回路、本発明に従って斯かる動作を実行するように設計され又はプログラムされるソフトウェア（コンピュータプログラム、サブプログラム、一組のコンピュータプログラム、又はプログラムコード）、および本発明に従って斯かる動作をするハードウェアとソフトウェアとの任意の組合せを、単独で又は組み合わせて有することが可能である。
【００１９】
本発明は、コンピュータ上で作動するときに本発明による方法を実行するプログラムコード手段を有する任意のコンピュータプログラムにおいて、およびコンピュータ上で作動するときに本発明による方法を実行するコンピュータで読取可能な媒体に記憶されるプログラムコード手段を有するコンピュータプログラム製品においても実現される。
【００２０】
本発明のこれらのおよび他の態様は、以下に記載される実施例から明らかであり、この実施例を基準にして説明される。
【００２１】
図は概略的であり、一律の縮尺では描かれておらず、一般的に、同じ符号は同じ部品を表している。
【発明を実施するための最良の形態】
【００２２】
図１は、電気泳動表示装置１の一部の、例えば数個の表示素子のサイズの断面が、概略的に示されている。この装置１は、ベース基板２と、例えばポリエチレンの２つの透明基板３、４の間に存在する電子インクを有する電気泳動フィルムと、を有している。一方の基板３は透明画像電極５が備えられ、他方の基板４は透明対向電極６が備えられている。電子インクは約１０ミクロン〜５０ミクロンの複数のマイクロカプセル７を有している。各マイクロカプセル７は、液体Ｆ中に縣濁した、正に帯電した白の粒子８と負に帯電した黒の粒子９とを有する。正の電界が画像電極５に印加されると、白の粒子８は、マイクロカプセル７の、対向電極６を向いた側へと移動し、表示素子が観察者に見えるようになる。同時に、黒の粒子９は、マイクロカプセル７の反対側に移動し、そこでは黒の粒子は観測者から見えないようになる。負の電界を画像電極５に印加することによって、黒の粒子９は、マイクロカプセル７の、対向電極６を向く側に移動し、表示素子は観察者に暗く見える（図示せず）。電界が取り除かれると、粒子８、９は移動により得た状態をそのまま保ち、ディスプレイは双安定性を示し、実質的に電力を消費しない。
【００２３】
図２は、アクティブ・スイッチング素子と行ドライバ１６と列ドライバ１０とが備えられたベース基板３２上に積層された電気泳動フィルムを有する画像表示装置３１の等価回路を概略的に示す。好ましくは、対向電極６は、カプセル化された電気泳動インクを有するフィルム上に備えられるが、面内電界を使用する動作の場合、代わりにベース基板上に備えることができるだろう。表示装置１は、アクティブ・スイッチング素子、この実施例では薄膜トランジスタ１９、によって駆動される。表示装置１は、行電極即ち選択電極１７と列電極即ちデータ電極１１との交差領域に、表示素子のマトリックスを有する。行ドライバ１６は連続的に行電極１７を選択し、列ドライバ１０はデータ信号を列電極１１に供給する。好ましくは、プロセッサ１５は、先ず、入力データ１３を処理してデータ信号にする。列ドライバ１０と行ドライバ１６との間の相互同期は、駆動ライン１２を通じて行われる。行ドライバ１６からの選択信号は、薄膜トランジスタ１９を通じて画素電極２２を選択する。薄膜トランジスタ１９のゲート電極２０は行電極１７に電気的に接続され、ソース電極２１は列電極１１に電気的に接続されている。列電極１１に存在するデータ信号は、ＴＦＴを介してドレイン電極に結合される表示素子の画素電極２２に伝送される。この実施例では、図１の表示装置は、各表示素子１８に、追加のコンデンサ２３も有する。この実施例では、追加のコンデンサ２３は、１つ以上の記憶コンデンサライン２４に接続されている。ＴＦＴの代わりに、ダイオード、ＭＩＭなどの他のスイッチング素子を適用することができる。
【００２４】
図３および図４は、従来の表示装置の駆動信号を示す。時刻ｔ０において、行電極１７は、選択信号Ｖselによって電圧が与えられ（図１）、同時に、データ信号Ｖｄが列電極１１に供給される。ライン選択時間tＬが経過すると、時刻ｔ１において、次の行電極１７が選択される。しばらくして、例えば、フィールド時間又はフレーム時間の後、通常は１６．７msec又は２０msec後、行電極１７は、時刻ｔ２において、選択信号Ｖselによって、再び電圧が与えられ、同時に、画像が変わらない場合には、データ信号Ｖｄが列電極１１に与えられる。選択時間tＬが経過すると、時刻ｔ３において、次の行電極が選択される。表示装置の双安定性によって、電気泳動粒子は選択された状態のままであり、所望のグレーレベルが得られる数フレーム時間後に、データ信号の繰返しを停止できる。通常、画像更新時間は数フレームである。
【００２５】
図５は、数秒のドウェル期間の後に極性が交番するパルスを有するデータ信号５０に対する図２の表示装置の表示素子の光学応答を表す第１の信号５１を示す。図５には、光学応答５１が−−−−により示されており、データ信号は により示されている。データ信号５０の各パルス５２は、２００ｍｓの持続時間、交番する＋１５Ｖ、−１５Ｖの電圧を有している。図５は、最初の負のパルス５２の後の光学応答５１は所望のグレーレベルではなく、この所望のグレーレベルは３番目又は４番目の負のパルスの後で初めて得られることを示している。
【００２６】
所望のグレーレベルの精度をデータ信号を用いて改善するために、プロセッサ１５は、次のリフレッシュフィールドのデータパルスの前に単一のプリセットパルス又は一連のプリセットパルスを発生する。このプリセットパルスのパルス時間は画像更新の期間よりも典型的には１／５倍〜１／１０倍の長さである。画像更新の時間が２００ｍｓである場合、プリセットパルスの持続期間は典型的には２０ｍｓである。
【００２７】
図６は、図２の表示装置のデータ信号６０に対する光学応答を、持続時間が短い一連の１２個のプリセットパルスと、交番する＋１５Ｖ、−１５Ｖの電圧を有する２００ｍｓのデータパルスと、に対する応答で示している。図６には、光学応答５１が−−−−により示され、改善された光学応答６１が−・−・−・−・−により示されており、データ信号は  により示されている。一連のプリセットパルスは、極性が交番する１２個のパルスから成る。各パルスの電圧は、＋１５Ｖ又は−１５Ｖである。図６はグレースケール精度がかなり向上することを示しており、光学応答６１は、第４のデータパルス５５の後の光学応答と実質的に同じレベルである。しかし、プリセットパルスによって生じる多少のフリッカが目に見える場合がある（光学応答５６参照）。この目に見えるフリッカを低減するために、表示素子に関連する行電極１７が２つのグループの各々の中で相互接続されるようにプロセッサ１５と行ドライバ１６とを構成することができ、第１のフェーズを有する第１のプリセット信号を表示素子の第１のグループに発生させ、第１のフェーズとは反対の第２のフェーズを有する第２のプリセット信号を表示素子の第２のグループに発生させることによって、反転方式を実行するようにプロセッサ１５と列ドライバ１０とが構成される。あるいは、リセットパルスに異なるフェーズが与えられる複数のグループを規定することができる。例えば、行電極１７は、一方が偶数行のグループで他方が奇数行のグループである２つのグループの各々の中で相互接続することができ、プロセッサは、負のパルスから始まり極性が交番する＋１５Ｖ、−１５Ｖの６個のプリセットパルスからなる第１のプリセット信号を偶数行の表示素子に発生し、正のパルスから始まり極性が交番する＋１５Ｖ、−１５Ｖの６個のプリセットパルスからなる第２のプリセット信号を奇数行の表示素子に発生する。
【００２８】
図７は、反転方式を表す２つのグラフを示す。第１のグラフ７１は、偶数行ｎの表示素子に供給される２０ｍｓの６個のプリセットパルスからなる第１のプリセット信号に関し、第２のグラフ７２は、奇数行ｎ＋１の表示素子に供給される２０ｍｓの６個のプリセットパルスからなる第２のプリセット信号に関しており、第２のプリセット信号のフェーズは第１のプリセット信号のフェーズとは反対である。パルスの電圧は、＋１５Ｖと−１５Ｖとの間で交番する。第１のプリセット信号は、正符号（＋）によって示され、第２のプリセット信号は、負符号（−）によって示される。
【００２９】
２つ以上の異なる行のグループに印加される一連のプリセットパルスの代わりに、表示素子は、２つの列グループ、例えば、１つの偶数列グループおよび１つの奇数列グループ、に分割することができ、プロセッサ１５は、負のパルスから始まり極性が交番する＋１５Ｖ、−１５Ｖの６個のプリセットパルスからなる第１のプリセット信号を偶数列の表示素子に発生し、正のパルスから始まり極性が交番する＋１５Ｖ、−１５Ｖの６個のプリセットパルスからなる第２のプリセット信号を奇数列の表示素子に発生することによって反転方式を実行する。上記の図および説明は、引用文献ＷＯ０３／７９３２４号にも見つけることができる。空間反転方式（即ち、反対の信号を異なるグループ、例えば奇数行と偶数行、に供給する）は、空間フリッカを低減する。次のフレームでプリセット信号の極性が反転される時間的反転方式を使用することが、ＷＯ０３／７９３２４号にも述べられている。プリセット信号をこのように変化させると（極性反転）、輝度の差が時間的に滑らかになる。
【００３０】
上記の方法は、要求されるフリッカの低減を実現するが、これは、ドライバにデータ転送を（例えば、メモリ／ルックアップテーブルから）高速に行うこと、ドライバがローディングを高速に行うことを要求する。これらは、消費電力を増加させる。更に、発明者は、短いフレーム時間が要求される場合、システムに関する問題があることが分かった。主な制約の１つは、アドレスされている行の全ての画素にデータが運ばれる前に、メモリ／ルックアップテーブルからデータドライバにデータをロードするのに必要な時間である。
【００３１】
データを転送するには、通常、数クロック期間が必要である。８００列６００行の装置に対して並列処理を用いても、８００列のデータ全てをデータドライバにロードするのに、約２００クロック期間を必要とすることがわかった。最小のクロック期間が６０ｎｓｅｃであるので、この場合は少なくとも１２マイクロ秒のライン時間になる。ｎ個の行の行反転方式（即ち、１フレーム内の信号の反転が、行ごとに行われる）が使用される場合、通常は、全てのデータを送るのにｎライン期間必要であり、フレーム時間を６００行×１２マイクロ秒＝７．２ｍｓｅｃより小さくすることは不可能である。情報を実際に送るのに必要な追加の時間を含めると、最も短いフレーム時間は、約８ｍｓｅｃになる。
【００３２】
本発明では、フリッカを時間的に短くするような振動は、列反転方式を適用することによって提供される。列反転方式では、プリセット信号の符号は、列方向で同じであり、フレーム間で変化するだけである。発明者は、ドライバのデータ電圧を変化させずに、情報を、データドライバから、振動させるべき（即ち、プリセット信号が供給されるべき）画像全体（即ち、全ての行）に送ることが可能であることが分かったので、発明者は、列反転方式を適用することによって、フレーム時間をかなり短くすることが可能であることが分かった。例えば、振動させる動作の間、１フレームの間に、画像の奇数番目の列を正のデータ電圧でアドレスし、画像の偶数番目の列を負のデータ電圧でアドレスし、一方、次のフレームの間に、画像の偶数番目の列を正のデータ電圧でアドレスし、画像の奇数番目の列を負のデータ電圧でアドレスする。
【００３３】
第１のフレームの開始時に、データドライバに、第１のフレームの列反転用の交番する正／負の電圧データがロードされる。このロード動作は通常の行時間（上記の例では１２マイクロ秒）を必要とし、画像全体がこのやり方で（例えば、２つのフレームの間のブランキング時間に）アドレスされているとき、このロード動作はフレームの開始よりも先行させて行うことができる。この時点で、第１の行がアドレスされる。このアドレス期間は、通常の行時間よりも短くすることができ、実際には、アドレストランジスタを通じた画素のチャージ時間によって、又は行若しくは列のＲＣ遅延時間によってのみ制約を受ける。これらの両方の制約とも、技術的な選択（アドレスＴＦＴのサイズ、画素容量／蓄積容量、行金属／列金属の抵抗など）によって緩和することができ、これによって、１マイクロ秒に近いアドレス時間が実現可能である。続いて、データドライバに他のデータが供給されなくても、ディスプレイの残りの行がアドレスされる。続いてアドレスされる全ての行は同じデータを受け取り、これによって列反転画像が実現される。この場合、続いてアドレスされる全ての行は、より短いアドレス期間（例えば、１マイクロ秒）でアドレスすることができる。加えて、データをメモリからデータドライバに伝送するのに追加の時間を必要としない。このやり方で、約１ｍｓｅｃのフレーム時間が実現可能である。
【００３４】
次のフレームの開始前に、反対の極性のデータが通常のやり方でデータドライバにロードされ、新しいフレームの行が上記のようにしてアドレスされる。
【００３５】
このようにして、フレームレートを５ｍｓｅｃ又はそれより小さい値に低減し、交番する振動電圧をディスプレイの隣接する列に印加し、フリッカ周波数を１００Ｈｚ又はそれより大きい値に増加させることが可能であり、これによって、フリッカが除去されるだろう。
【００３６】
光学フリッカが低減される利点に加えて、この実施例は、最初のデータがドライバにロードされた後にメモリ／ルックアップテーブルとデータドライバとの間で必要とされるデータ伝送がなく、更にデータドライバは最初のデータがロードされた後はクロック制御し続ける必要がないので、低電力であるという利点を有している。
【００３７】
図８〜図１０は、本発明の種々の実施例を示している。各図において、プラスの符号は任意の形のプリセット信号を表し、マイナスの符号は反転プリセット信号を表す。図８では、全ての列には、フレームＡにおいて同じプリセット信号が与えられ、フレームＢにおいて反転信号が与えられている。これにより、フリッカが時間的に短くなる。図９では、空間反転方式が付加されている。各フレームにおいて、隣接した列のプリセット信号は、反対の符号を有している。これにより、空間的なフリッカが低減する。図１０では、各フレームにおいて、ｎ列（この例では、ｎ＝２であるが、任意の数とすることができる）が同じ符号のプリセット信号を受け取る。
【００３８】
大型表示装置に対しては、複数のドライバを備え、表示スクリーンを例えば４つの象限に分割することが有利である。この場合、上記の実施例を、ディスプレイの複数の分割領域のうちの一つの領域若しくは一部に適用する、又は別々の実施例を複数の分割領域のうちの別々の部分に適用することが可能である。画像スクリーンを象限に分割することは、最も好ましい実施例である。これにより、電極の長さが非常に効率的に短くなる。
【００３９】
上記の例ではプリセット信号の符号を反転して使用することが述べられている。明細書を通じて、単語「反転」が、しばしば使用されている。簡潔のためには、単純な反転方式が好適実施例ではあるが、本発明は、斯かる実施例には限定されない。本発明の背後にある考えは、異なるプリセット信号を使用することが可能であり、プリセット信号はフレーム間で変化するものであること、および、列ごとの方式を使用すると、各フレームにおいて有限の一組のデータを伝送することで、異なるプリセット信号を使用することが可能なこと、にある。この例では、プリセット信号は符号が異なっており、これは異なる信号を発生させる簡単な方法である。しかし、プリセット信号は、他の部分、例えば、サブパルスの長さ、振幅、又は数が異なっていてもよい。
【００４０】
添付された特許請求の範囲から逸脱せずに、本発明の範囲内で多くの変形が可能であることは、明らかである。
【００４１】
本発明は、電気泳動粒子（８，９）と、画素電極および第２の電極を有する表示素子のアレイを有する画像スクリーンであって、上記画素電極と上記第２の電極との間に電気泳動粒子の一部が存在している画像スクリーンと、表示素子を表示されるべき画像情報に対応する所定の光学状態にするために駆動信号を上記画素電極と上記第２の電極とに供給する制御手段（１５）と、を有している表示装置（１）を駆動する方法にも実現されるものである。この方法において、動作中、画像は、連続するフレームで表示され、上記制御手段は、行ドライバおよび列ドライバと、プリセット信号（５３）を上記表示素子に供給する手段と、を有しており、上記表示素子に印加される上記プリセット信号は、連続するフレーム間で変化し、上記制御手段が、列ごとの方式によって、フレーム間でプリセット信号を変化させ、プリセット信号を供給する手段は、列と行とのグループを有する画像スクリーンの少なくとも一部に供給されるプリセット信号に対して、上記グループのプリセット信号のために一組のデータのみが伝送されるように構成される。
【００４２】
更に、本発明は、コンピュータ上で作動するときに本発明による方法を使用するコンピュータで読取可能な媒体に記憶されるプログラムコード手段を有するコンピュータプログラム製品において実現される。
【００４３】
本発明は、特に図示されたものおよび上述されたものに限定されないことは、当業者に明らかである。本発明は、全ての新規な特徴的フィーチャおよび特徴的フィーチャの全ての組合せに存在している。動詞「有する」およびその活用形が使用されていることは、請求項に記載された以外の構成要素の存在を排除するものではない。構成要素が単数で表されていることは、斯かる構成要素の複数の存在を排除するものではない。
【００４４】
本発明は特定の実施例に関して記載されている。これら実施例は本発明の例であり、限定するものとして解釈されるべきではない。本発明は、ハードウェア、ファームウェア、若しくはソフトウェア、又はこれらの組合せで実現することができる。他の実施例は、特許請求の範囲内に含まれている。
【図面の簡単な説明】
【００４５】
【図１】表示装置の一部の断面図を概略的に示す。
【図２】表示装置の一部の等価回路図を概略的に示す。
【図３】表示装置の駆動信号および内部信号を示す。
【図４】表示装置の駆動信号および内部信号を示す。
【図５】データ信号の光学応答を示す図である。
【図６】プリセット信号およびデータ信号の光学応答を示す図である。
【図７】隣接する２つの行の画素電極用のプリセット信号であって、反対の極性の６個のパルスからなるプリセット信号を示す図である。
【図８Ａ】本発明による方式を示す図である。
【図８Ｂ】本発明による方式を示す図である。
【図９Ａ】本発明による他の方式を示す図である。
【図９Ｂ】本発明による他の方式を示す図である。
【図１０Ａ】本発明による更に他の方式を示す図である。
【図１０Ｂ】本発明による更に他の方式を示す図である。
【図１】
2007519046.tif 000003
【図２】
2007519046.tif 000004
【図３】
2007519046.tif 000005
【図４】
2007519046.tif 000006
【図５】
2007519046.tif 000007
【図６】
2007519046.tif 000008
【図７】
2007519046.tif 000009
【図８Ａ】
2007519046.tif 000010
【図８Ｂ】
2007519046.tif 000011
【図９Ａ】
2007519046.tif 000012
【図９Ｂ】
2007519046.tif 000013
【図１０Ａ】
2007519046.tif 000014
【図１０Ｂ】
2007519046.tif 000015
【国際調査報告】
2007519046.tif 000016
2007519046.tif 000017